(57)【特許請求の範囲】
【請求項１】
ａ）閉ループ弾性巻きテント部材からなり、変形して少なくとも三つのテント支持環を形成するテント部材であって、前記各テント支持環はその円周の少なくとも一部に沿って前記ほかのテント支持環に隣接し、各テント支持環は前記ほかのテント支持環と同一の円周を有するように構成されたテント部材と、
ｂ）前記テント支持環を抑えるため、前記テント支持環の円周の少なくとも一部に付着され、前記テント支持環間に延長されるテント膜と、
ｃ）前記各テント支持環の高地点を交差させるか又は結合させることによりなされる共通隣接テント領域とを含んでなり、
前記共通隣接テント領域は面積が大きく、前記共通隣接テント領域は前記テント膜により覆われることを特徴とする折り畳み式テント。
【請求項２】
請求項１において、前記折り畳み式テントは、前記テント支持環を互いに対して抑えるため、各テント支持環の円周の少なくとも一部に付着され、前記テント支持環間に延長される抑え手段をさらに含むことを特徴とする折り畳み式テント。
【請求項３】
請求項２において、前記テント部材は変形して六つの支持環を形成することを特徴とする折り畳み式テント。
【請求項４】
請求項２において、前記テント部材は変形して五つの支持環を形成することを特徴とする折り畳み式テント。
【請求項５】
請求項２において、前記テント部材は変形して四つの支持環を形成することを特徴とする折り畳み式テント。
【請求項６】
請求項１において、前記テント支持環は、前記テント支持環の一部が前記共通隣接テント領域と一致するように、さらに変形されることを特徴とする折り畳み式テント。
【請求項７】
ａ）閉ループ弾性巻きテント部材からなり、変形して少なくとも三つのテント支持環を形成するテント部材であって、前記各テント支持環はその円周の少なくとも一部に沿って前記ほかのテント支持環に隣接し、各テント支持環は前記ほかのテント支持環と同一の円周を有し、前記テント支持環を抑えるため、前記テント支持環の円周の少なくとも一部に付着され前記テント支持環の対向部間に延長されるテント膜を有するように構成されたテント部材と、
ｂ）別の閉ループ弾性巻き部材からなり、前記テント支持環の共通隣接テント領域を形成する共通隣接テント領域ループ部材とを含んでなり、
前記共通隣接テント領域ループ部材は円形、長方形、正方形、三角形又は楕円形の形態を取っている平面状であり前記テント膜内に固定されることを特徴とする折り畳み式テント。
【請求項８】
請求項７において、前記折り畳み式テントは、前記テント支持環を互いに抑えるため、前記各テント支持環の円周の少なくとも一部に付着され前記テント支持環間に延長される抑え手段をさらに含むことを特徴とする折り畳み式テント。
【請求項９】
請求項８において、前記テント部材は変形して六つの支持環を形成することを特徴とする折り畳み式テント。
【請求項１０】
請求項８において、前記テント部材は変形して五つの支持環を形成することを特徴とする折り畳み式テント。
【請求項１１】
請求項８において、前記テント部材は変形して四つの支持環を形成することを特徴とする折り畳み式テント。
【請求項１２】
ａ）閉ループ弾性巻きテント部材からなり、変形して少なくとも三つのテント支持環を形成するテント部材であって、前記各テント支持環はその円周の少なくとも一部に沿って前記ほかのテント支持環に隣接し、各テント支持環は前記ほかのテント支持環と同一の円周を有し、前記テント支持環を抑えるため、前記テント支持環の円周の少なくとも一部に付着され前記テント支持環の対向部間に延長されるテント膜を有するように構成されたテント部材と、
ｂ）閉ループ弾性巻きハット部材と前記ハット部材の円周の少なくとも一部に付着されたハット膜とからなるハット部材であって、前記ハット部材は、前記ハット部材を前記テント支持環に固定するため、前記ハット部材の円周の少なくとも一部に設けられ前記ハット部材と前記テント支持環間に延長される付着手段をさらに含み、前記ハット部材は前記テント支持環の共通隣接テント領域を形成するように構成されたハット部材とを含んでなることを特徴とする折り畳み式テント。
【請求項１３】
請求項１２において、前記折り畳み式テントは、前記テント支持環を互いに抑えるため、各テント支持環の円周の少なくとも一部に付着され前記テント支持環間に延長される抑え手段をさらに含むので、前記テントが広げられたとき、前記テント支持環は前記ハット部材の周囲に互いに離隔され前記抑え手段により抑えられ、前記ハット部材は屋根をなし、前記テント支持環のテント膜は前記テントの壁をなすことを特徴とする折り畳み式テント。
【請求項１４】
請求項１３において、前記ハット部材は変形して中心部位を形成することを特徴とする折り畳み式テント。
【請求項１５】
請求項１３において、前記中心部位は正方形をなすことを特徴とする折り畳み式テント。
【請求項１６】
請求項１３において、前記ハット部材は楕円形であることを特徴とする折り畳み式テント。
【請求項１７】
請求項１３において、前記ハット部材は変形して三つのハット支持環を形成することを特徴とする折り畳み式テント。
【請求項１８】
請求項１３において、前記折り畳み式テントはテント膜をテント支持環に引き締めるための手段をさらに含むことを特徴とする折り畳み式テント。
【請求項１９】
請求項１４において、前記テント部材は変形して六つの支持環を形成することを特徴とする折り畳み式テント。
【請求項２０】
請求項１４において、前記テント部材は変形して五つの支持環を形成することを特徴とする折り畳み式テント。
【請求項２１】
請求項１４において、前記テント部材は変形して四つの支持環を形成することを特徴とする折り畳み式テント。
【請求項２２】
ａ）閉ループ弾性巻きテント部材からなり、変形して少なくとも三つのテント支持環を形成するテント部材であって、前記各テント支持環はその円周の少なくとも一部に沿って前記ほかのテント支持環に隣接し、各テント支持環は前記ほかのテント支持環と同一の円周を有し、前記テント支持環を抑えるため、前記テント支持環の円周の少なくとも一部に付着され前記テント支持環の対向部間に延長されるテント膜を有するように構成されたテント部材と、
ｂ）閉ループ弾性巻きハット部材と前記ハット部材の円周の少なくとも一部に付着されたハット膜とからなるハット部材であって、前記ハット部材は、前記ハット部材を前記テント支持環に固定するため、前記ハット部材の円周の少なくとも一部に設けられ前記ハット部材と前記テント支持環間に延長される付着手段をさらに含み、前記ハット部材は前記テントの共通隣接テント領域を形成するように構成されたハット部材とを含んでなり、
閉ループ弾性巻きテント部材からなる前記テント部材と、閉ループ弾性巻きハット部材からなる前記折り畳みは連続的に構成されるので、前記折り畳み式テントの全体にわたって閉ループ弾性巻き連続部材を形成することを特徴とする折り畳み式テント。
【請求項２３】
請求項２２において、前記折り畳み式テントは、前記テント支持環を互いに抑えるため、各テント支持環の円周の少なくとも一部に付着され前記テント支持環間に延長される抑え手段をさらに含むので、前記テントが広げられたとき、前記テント支持環は前記ハット部材の周囲に互いに離隔され前記抑え手段により抑えられ、前記ハット部材は屋根をなし、前記テント支持環のテント膜は前記テントの壁をなすことを特徴とする折り畳み式テント。
【請求項２４】
請求項２３において、前記共通隣接テント領域は円形を形成することを特徴とする折り畳み式テント。
【請求項２５】
請求項２３において、前記テントが折り畳まれたとき、前記テント支持環は巻き付けられるように互いに重畳ループを形成することを特徴とする折り畳み式テント。
【請求項２６】
請求項２３において、前記テント部材は変形して六つの支持環を形成することを特徴とする折り畳み式テント。
【請求項２７】
請求項２３において、前記テント部材は変形して五つの支持環を形成することを特徴とする折り畳み式テント。
【請求項２８】
請求項２３において、前記テント部材は変形して四つの支持環を形成することを特徴とする折り畳み式テント。
【発明の詳細な説明】
【０００１】
【発明の属する技術分野】
本発明はテント及び日光シェルターにかかり、より詳しくは折り畳み式の携帯用テント、蚊帳及び日光シェルターに関するものである。
【０００２】
【従来の技術】
日光シェルター及びテントはその人気が段々と高まっている。このような人気の理由の一つは日光の有害な影響、とりわけ皮膚癌の危険及び発生の増加を一般人が次第に認識していることである。
【０００３】
また、温和な気候のため、テントの壁面及び上面に直射する日光により生じ得る莫大な熱の蓄積を防止するためにテントの上に付加のカバーを覆う必要がある。
【０００４】
折り畳み式テントは多くのデザインで利用できる。堅く構成された支持体を有するテントが知られているが、一部のテントはテント壁での凝結を防止するためのカバーを含む。このカバーも日光がテントに直射することを防止する機能をする。このような凝結防止カバーの欠点は、凝結物がテントの壁面に到達することを防止するために特殊に設計しなければならないということである。使用織物の色、密度及び種類は日光による熱蓄積を防止するのに最適でないこともあり得る。
【０００５】
テント内の熱蓄積のほかの原因は多くのテントが全く密閉されるように設計されることである。テントの壁、屋根及び底面は密閉状態の内部をなしてテント内への空気循環を防止することになる。その例が米国特許第５，８１６，２７８号に開示されているが、この特許によると、底面及び壁が固体膜からなり、テント支持ループが単一頂点で集まる。このテントにはドア又はウィンドウが利用できるが、これらは小さく、テント内の熱蓄積を分散させる空気循環を最小にする。
【０００６】
キャンピングなどの野外生活の増加により、多くのキャンパーは日光から保護するための一時収容施設としてテントを用いている。従来のテントは通常ポールにより支持されロープラインにより地面に定着される耐候性柔軟膜を含む。従来のテントの大きな問題点はテントを立てることと折り畳むことが複雑であるというものである。テントを立てるため、使用者はまずテント膜を広げて地面にレイアウトし、テントの固定点を地面に設け、この固定点にアンカーロープを取り付け、支持ポールを地面に突き刺してテントの頂点を支持し、テント膜を地面から持ち上げてその頂点を支持ポールに置き、ロープラインの張力を調整することでテント膜を抑える。テントの折り畳みの際、使用者はアンカーとロープラインを分解し、テントを折り畳み、テント膜、ロープライン及び支持ポールを運搬ケース内に入れる。
【０００７】
【発明が解決しようとする課題】
かかる従来のテントの欠点を解決するため、一部テント製造業者は支持ポール及びアンカーロープラインなしでテント膜に組み込まれた弾性支持体を有する折り畳み式テントを提供した。このような折り畳み式テントは折り畳まれて運搬用ケースに収容できる。
【０００８】
しかし、この種のテントの欠点は、テントの構造を形成するため、殆どの場合使用者がいくつかの地点で相互丁寧に連結させなければならないいくつかの別の支持部材から弾性支持体が構成されるという点である。したがって、使用者は、テントを立てる都度テント部材を相互連結し分離する方法を習うのに時間を消費しなければならない。また、多くのテント部材を使用すると、テントの製造費、購入費、テントの寿命にわたる維持費が増加する。このようなテントのさらにほかの欠点はテントを小さな組立体に折り畳むことが難しいということである。テントのベースは嵩が増加するようにし、付加の折り畳み段階を要する。通常、使用者は弾性支持体を捻じって回転させることにより弾性支持体を折り畳まなければならない。弾性支持体は通常テントの機体構造の健全性を維持するためかなり堅いので、この作用には相当な時間及びエネルギーの消費が必要である。
【０００９】
多様な形態の日覆い及び日光防御物も利用できる。日覆いとしては、傘、キャノピー及び折り畳まれたダンボール紙がある。これらの殆どは全く広げられた状態から少し折り畳まれる。現存のデザインは折り畳まれた状態でも嵩が高くて重い。現存の装置の何でも折り畳みハットカバーを含む折り畳み式テント又はシェルターを結合することができない。
【００１０】
したがって、現在利用できるテント及び日光防御物の欠点のため、熱蓄積を防止するための空気循環用開放底部を有する折り畳みハットを含む折り畳み式テントが必要である。この折り畳み式テントは組立の必要なしで自ら立てられなければならない。また、この折り畳み式テントは、保管及び運搬のため、軽量であるとともに小さな構造に巻かれる必要がある。
【００１１】
【課題を解決するための手段】
発明の要約
本発明は前記のような要求条件を満たす。一実施例において、本発明は、変形して少なくとも三つの支持環を形成する閉ループ弾性巻きテント部材を提供する（本出願において、“環”という用語は閉ループ弾性巻きテント部材と支持環をより明らかに区別するための“ループ”を意味するのに用いられる。したがって、支持ループは支持環と呼ぶ）。四つ、五つ、六つ又はそれ以上の支持環の構成も可能である。
【００１２】
各支持環はその円周の一部に沿ってほかのテント支持環に隣接し、テント支持環は共通隣接テント領域を有する。各支持環はほかのテント支持環の形状又はサイズと同一の円周を有し、支持環の円周の少なくとも一部に付着された膜を有する。前記テント膜は前記支持環を抑えるため支持環の対向部間に延長される。前記テントは、前記テント支持環を相互抑えるため、各支持環の円周の少なくとも一部に付着されテント支持環間に延長される抑え手段をさらに含む。前記抑え手段はコード、ライン、ワイヤー、ストラップ、タイ、ポール、膜又はそのほかの類似の手段であり得る。コード又はラインは通常テントで見られる織物抑え手段よりずっと軽く、煩わしくなく、耐久性に優れ、製造費が安価である。
【００１３】
テントを広げるとき、テント支持環は共通隣接テント領域の周囲に互いに離隔されテント膜及び抑え手段により抑えられる。前記共通隣接テント領域は、テント支持環が頂点で集まり共通隣接テント領域が一点に近い一部従来の設計とは異なり、面積がかなり大きい。前記共通隣接テント領域はテントの屋根をなし、テント膜はテントの壁をなす。網織物もテントの壁の一部又は入口を形成し、昆虫の侵入を防止しテントの内部への空気流動を増大させる役割をする。前記共通隣接テント領域は面積が相当大きいため、本発明の多くの変形例においてテントの壁とは区別される屋根が形成される。テントを十分折り畳んだとき、テント支持環は互いに重畳するループを形成して巻き付けられる。テント膜内には共通隣接領域ループ部材が固定できる。この共通隣接領域ループ部材は平面状のもので、共通隣接領域のテント膜を支持する役割をする。付加のハット膜がテント膜の上部に配置して、折り畳み式テント内に熱蓄積を減少させるエアポケットを与えることもできる。
【００１４】
好ましくは、各支持環は、テントを折り畳むとき、支持環のテント膜を支持環の一部から分離して支持環を解除するため、その円周の少なくとも一部に沿って引き締め手段をさらに含む。したがって、テントの折り畳みに際して、テント支持環の容易な折り畳みが可能になる。より好ましくは、各支持環は、テントを折り畳むとき、抑え手段を前記支持環の一部から分離して前記支持環を解除させるため、その円周の少なくとも一部に沿って付着手段をさらに含む。
【００１５】
さらに、基本的なテント構造にハットを設けることもできる。折り畳み式テント上に位置するハットは日光から保護する機能をする。前記ハットは閉ループの弾性巻きハット部材と、ハット部材の円周の少なくとも一部に付着されたハット膜からなる。前記ハットは別の閉ループ弾性巻きハット部材であるか、或いはテント支持環に連続的に構成できる。ハットは、テント支持環に固定されるため、ハット部材の円周の一部とテント支持環を付着する手段を含む。この付着手段はマジックテープ、タイ、スナップ、フック、ジッパー又は類似の方法からなり得る。ハット部材はテント支持環の共通隣接テント領域を形成する。前記ハット部材は変形してハット支持環を形成し、このハット支持環は中心部位で連結される。中心部位は、正方形、ダイアモンド形、三角形及び一点などの多様な形状を取り得る。好ましい実施例において、各ハット支持環はテント支持環の円周の最高点に隣接して付着される。
【００１６】
テントを広げたとき、テント支持環はハット部材の周囲に互いに離隔しており、抑え手段により抑えられている。ハット部材は屋根をなし、テント支持環のテント膜はテントの壁をなす。
【００１７】
したがって、折り畳み式テントは日光から保護するための折り畳みハットを提供するとともに折り畳み式テント内の熱蓄積を最小にすることにより、従来技術の欠点を解決する。空気循環のための折り畳みハットの開放底部も熱蓄積を防止する。この折り畳み式テントは組立の必要なしで自ら立てられる。また、折り畳み式テントは、保管及び運搬のため、軽量で小さな構造に巻き付けられる。
【００１８】
【発明の実施の形態】
図１ａないし図１ｄ及び図２を参照すると、本発明による折り畳み式テント１０の好ましい実施例が示されている。折り畳み式テント１０は閉ループ弾性巻きテント部材１５により形成されたテント部材１２を含む。また、折り畳み式テント１０は第２閉ループ弾性巻きハット部材１６を含むこともできる。円周１７を有するテント部材１２は変形して少なくとも三つのテント支持環２０を形成する。各テント支持環２０はその円周１７に沿って高地点１８を有する。各テント支持環２０の高地点１８を交差して連結する部位は共通隣接テント領域３５の境界をなす。共通隣接テント領域３５はサイズがかなり大きく、テント支持環２０は単一点に集まらないので、テント支持環２０が単一頂点で最高となるほかの設計とは区別される。別の閉ループ弾性巻き共通隣接領域ループ部材３６を含むことができる。共通隣接テント領域ループ部材３６はたいてい共通隣接テント領域３５の境界１９と一致する。共通隣接領域ループ部材３６はテント膜４０内に固定される。共通隣接領域ループ部材３６がテント膜４０内に固定されるので、共通隣接領域ループ部材３６を使うとき、別のハット膜４１はない。共通隣接領域ループ部材３６は、楕円形、卵形、円形、長方形、正方形、三角形などに成形できる。当業者が分るように、ほかの形状も可能である。ほかの方式として、各テント支持環２０の一部が共通隣接テント領域３５の境界１９と一致するようにテント支持環２０がさらに変形することができる。したがって、各テント支持環２０はその円周１７の少なくとも一部に沿ってほかのテント支持環に隣接して、共通隣接テント領域３５を形成する。テント支持環２０は円周１７の一部に沿って横断することもできる。テント支持環２０の円周１７がそれ自体横断するテントの上部には共通隣接テント領域３５が形成される。ほかの方式として、円周１７は閉ループ弾性部材１５がそれ自体横断しない部分的なループを形成することもできる。
【００１９】
各テント支持環２０の円周長は、折り畳み式テント１０に対する対称構造を提供するため、ほかのテント支持環２０と同一である。
【００２０】
図１ｄを参照すると、各テント支持環２０もテント支持環２０の円周１７の少なくとも一部に付着されたテント膜４０を有する。テント膜４０はテント支持環２０の対向部間に延長してテント支持環２０を抑える。テント膜４０又は別のハット膜４１は楕円形、卵形、円形、長方形、正方形、三角形などに成形できるが、当業者が分るようにほかの形状も可能である。
【００２１】
図１ａはテント膜４０を有する三つのテント支持環２０を示す。この図には、各支持環２０の円周１７の少なくとも一部に付着された抑え手段５０が示されている。
【００２２】
好ましくは、各テント支持環２０は、テント支持環２０のテント膜４０がテント支持環２０の一部から分離できるように、その円周１７の少なくとも一部に沿って引き締め手段４７をさらに含む。前記テント膜４０がテント支持環２０に完全に付着されたとき、テント膜は捻じり及び曲げに対するテント支持環２０の剛性を向上させる。これは、テント膜４０がテント支持環２０が特定形状になることを抑えて、テント支持環２０の円周１７上のテント膜４０の引き寄せに対する捻じり及び曲げに抵抗するためである。テント膜４０の少なくとも一部をテント支持環２０から分離させることにより、テント支持環２０の剛性が低下し、テント支持環２０が易しく捻じられ曲げられるので、テント支持環２０が容易に折り畳まれる。
【００２３】
前記引き締め手段４７はテント支持環２０の円周１７とテント膜４０の一部に沿って延長されるジッパーなどの着脱型ファスナーを含むことができる。このファスナーとしては、マジックテープ（Ｔ．Ｍ）、スナップ、ボタン、ストラップ又はグロメットなどのフック及びループ材料が含まれる。好ましくは、ファスナーは水などがファスナーを通じてテント内に漏れることを防止するため耐候性を有する。テント支持環２０が回転して相互重なって配置されるとき、テント支持環２０を集団で巻き付けることにより折り畳み式テント１０を容易に折り畳むため、テント支持環２０はその円周１７上の同一点で集団で捻じられて曲げられることができる。通常、テント支持環２０は集団で巻き付けられて、三つの重畳リングを形成する。
【００２４】
前記折り畳み式テント１０は、テント支持環２０を相互抑えるため、各支持環２０の円周１７の少なくとも一部に付着されテント支持環２０間に延長される抑え手段５０をさらに含む。前記抑え手段５０と前記テント支持環２０間の付着手段４５は、前記抑え手段５０をテント支持環２０から便利に分離し得るようにする。前記折り畳み式テント１０が広げられたとき、前記抑え手段５０の長さはテント支持環２０間の間隔と折り畳み式テント１０の高さを決める。これは、抑え手段５０なしで前記テント支持環２０が弾性テント部材１５に貯蔵された最小の位置エネルギーで相互平面状の空間的位置を取るためである。図１に示す折り畳み式テント１０の実施例において、抑え手段５０としてコードが示されている。抑え手段５０はテント支持環２０が相互対称的に離隔し抑え手段５０により相互抑えられるのに適したサイズ及び形状を有する。前記抑え手段５０はコード、ライン、ワイヤー、ストラップ、タイ、ポール、膜又はそのほかの類似手段であり得る。組立状態にあるとき、前記抑え手段５０は支持ループテント膜４０が折り畳み式テント１０の壁６５をなすように支持ループテント幕４０を抑える。網織物はテントの壁の一部又は入口を形成することもでき、昆虫の侵入を防止し、テント内部への空気流動を増大させる役割をする。
【００２５】
前記折り畳み式テント１０は折り畳みハット６８を含み得る。ハット部材７０はテント支持環２０の連続部であり得るので、閉ループ弾性巻き連続部材７１をなす。ほかの方式として、ハット部材７０は第２閉ループ弾性巻きハット部材１６により形成されて別のハット部材７０を作ることができる。図１は折り畳みハット６８を形成する別のハット部材７０を示す。ハット部材７０は、図１ｄに示すように、変形してハット支持環７５を形成することができる。折り畳みハット６８が別の閉ループ巻きハット部材７０であるとき、ハット部材７０の第２円周７２は各テント支持環２０の円周１７と交差する共通隣接テント領域３５上に位置する。ハット支持ループ７５にハット膜４１が付着される。前記ハット膜４１は１部分以上が連続するか分離されている。テント膜４０は別の閉ループ巻きハット部材７０又は閉ループ弾性巻き連続部材７１を覆うように延長できるので、別のハット膜４１が不要である。巻きハット部材７０は変形して一つ以上のハット支持環７５を形成することができる。
【００２６】
また、折り畳みハット６８は折り畳み式テント１０の屋根７６の役割をするが、支持ループテント膜４０は折り畳み式テント１０の壁６５をなす。ハット部材７０は、必要に応じて、付着手段４５のように、当業者に知られているジッパー、フック、タイ、スナップ、マジックテープ又はそのほかの方法などの第２付着手段４６によりテント支持環２０に付着できる。ハット部材７０が変形されるとき、中心部位８０が形成される。全て示されていないが、中心部位８０は正方形、三角形、ダイアモンド形、円形及び点形などの多様な形状を取ることができる。したがって、本発明は、使用者による組立が不要である、一つ以上の弾性部材１５、１６を有する自体立設型の無支柱折り畳み式テント１０を提供する。
【００２７】
好ましくは、折り畳み式テント１０は、抑え手段５０を各テント支持環２０の一部から分離してテント支持環２０を相互解除させるため、抑え手段５０とテント支持環２０間に付着手段をさらに含む。抑え手段５０がテント支持環２０に付着されたとき、抑え手段は捻じり及び曲げ変形に対するテント支持環２０相互間の剛性を向上させる。これは、テント支持環２０の円周１７上の抑え手段５０の引き寄せに対して捻じり及び曲げ変形に抵抗する特定の空間構造にテント支持環２０が変形されることを抑え手段５０が抑えるためである。抑え手段５０の少なくとも一部を前記テント支持環２０から分離させることにより、テント支持環２０が容易に捻じられ曲げられて、テント支持環２０の容易な折り畳みを可能にする。前記抑え手段４５は前述したようにフック、スナップ、タイ又はそのほかの手段から構成できる。
【００２８】
前記テント膜４０は、当業者が分かるように、プライバシー及び風又は雨からの保護に適したキャンバス、ダックなどのような軽量材料から構成できる。示されていないが、折り畳み式テント１０の壁６５を形成するテント膜４０の開口部を与え、折り畳み式テント１０のウィンドウの役割を付与することができる。弾性部材１５は、テント支持環２０内に変形されるのに十分な柔軟性を有する巻き付け可能材料からなる。弾性部材１５はスリーブで覆われるシート又はスプリング鋼材から構成できる。このような材料はその休止状態、テント支持環２０の場合には楕円形に戻ろうとする傾向がある。テント１０を立てるためには、巻き付けられているテント１０を運搬ケースから取り出すと、折り畳み式テント１０は図１に示す形態に自ら立てられる。示されていないが、支持ループテント膜に沿ってジッパーをさらに設けることができる。折り畳み式テント１０を折り畳むとき、支持ループテント膜４０のジッパーが開けられ、テント支持環２０が共通隣接テント領域３５に沿って回転して平面形態に重なって置かれる。その後、テント支持環２０がその円周１７上の同一点に沿って集団で捻じられ曲げられて、巻き状態、好ましくは３回のターンを有する巻き状態となる。この巻き状態のテントはそれを収容するように成形された運搬ケースの内部に入れるなどの取扱に適切である。
【００２９】
弾性巻き部材１５の長さ及び厚さは折り畳み式テント１０の形状及び体積によって違う。大型テントにおいて、弾性部材１５は大きい支持構造を提供しテント１０の構造的健全性を維持するため、より長くて厚く形成される。
【００３０】
前記共通隣接テント領域３５は、楕円形、正方形、円形、ダイアモンド形、三角形又はそのほかの形状を取ることができる。図面には三つ、四つ、五つ及び六つの支持環２０の構成のテント支持環２０が示されているが、より多くの構成も可能である。
【００３１】
図１ａはテント膜４０を有する三つのテント支持環２０を示す。各支持環２０の円周１７の少なくとも一部に付着された抑え手段５０が示されている。これには別のハット部材７０もなく別の共通隣接領域ループ部材３６もないので、高地点１８の交差部により取り囲まれた部位は共通隣接テント領域３５の境界１９をなす。図１ｂはテント膜４０を持っていない同構造を示す。図１ｃは変形して平面形態を取らないハット部材７０を付加する。このハット部材７０は別のハット膜４１を有する。図１ｃ（２）は平面形態を取っていながらテント膜４０内に固定されている共通隣接領域ループ部材３６を示す。共通隣接領域ループ部材３６がテント膜４０内に固定されるので、共通隣接領域ループ部材３６を使うとき、別のハット膜４１はない。同様に、高地点１８の交差部により取り囲まれた部位は共通隣接テント領域３５の境界１９をなす。
【００３２】
図１ｄａないし図１ｄｅは巻きハット部材７０を含む折り畳み式テント１０の折り畳み過程を示す。図１ｄはハット部材７０が楕円形又は円形を形成する全く広げられた状態を示す。図１ｄｂはテント支持環２０の一つとハット部材７０が一度捻じられて小さな構造となったものを示す。図１ｄｃは残りの二つのテント支持環２０とハット部材７０が一度捻じられて小さな構造となったものを示す。図１ｄｄは三つの部分的に折り畳まれたテント支持環２０及びハット７０が互いに折り畳まれた状態を示す。図１ｄｅは折り畳み式テント１０が最終に折り畳まれて小さな巻き状態のループ構造をなったものを示す。
【００３３】
図２はハット部材７０がテント支持環２０の連続部であることを除き、図１のものと同構造を示す。この構造の平面図も示されている。図３ａは共通隣接領域ループ部材３６を有する折り畳み式テント１０が全く広げられた状態を示す。共通隣接領域ループ部材３６は拡張された楕円形を取っている。
【００３４】
図３ｂは単一点を形成する中心部位８０を示す。ハット部材７０は捻じり変形して三つのハット支持環７５を形成する。
【００３５】
図３ｃは図３ｂと類似したもので、ハット支持環７５は、捻じられたとき、三角形の中心部位８０を形成する。中心部位８０は三角形の中心部位８０の一辺に沿って各ハット支持環７５の残りと交差する。
【００３６】
図３ｄは図３と類似したものであるが、変形して三つのハット支持環７５を形成するハット部材７０を示す。中心部位８０は三角形を形成する。中心部位８０は三角形の中心部位８０の一点で各支持環７５の残りと交差する。
【００３７】
図３ｄ−１はハット部材７０及びテント支持環２０が部分的に折り畳まれて平面上に配置された状態を示す。図３ｄ−１ｂはテント支持環２０の一つ及びハット部材７０が一度捻じられて小さな構造となったものを示す。図３ｄ−１ｃは残りの二つのテント支持環２０及びハット部材７０が一度捻じられて小さな構造となったものを示す。図３ｄ−１ｄは三つの部分的に折り畳まれたテント支持環２０及びハット７０が最終に互いに折り畳まれて小さな巻き形態のループ構造となったものを示す。
【００３８】
図４を参照すると、弾性テント部材１５が変形して三つのテント支持環２０を形成する。各支持環２０はその円周１７に沿ってほかのテント支持環２０に隣接する。テント支持環２０は略楕円形である。テント支持環２０は、各テント支持環２０が互いに重なって三角形の共通隣接テント領域３５を形成するように、捻じり変形される。別のハットは設けられていない。図４ａ−４ｄは巻き付け動作の段階を示す。
【００３９】
図４ｅを参照すると、本発明による折り畳み式テント１０のほかの実施例が示されているが、弾性テント部材１５は変形して四つのテント支持環２０を形成する。各支持環２０はその円周１７に沿ってほかのテント支持環２０に隣接する。テント支持環２０は楕円形であって、共通隣接テント領域３５を有する。ハット６８は別の第２弾性ハット部材７０により形成される。ハット部材７０は各テント支持環２０の円周１７と交差して折り畳み式テント１０の屋根７６を形成する共通隣接テント領域３５を形成する。ハット部材７０は共通隣接テント領域３５の周囲に均等に離隔した四つの部位でテント支持環２０より高く隆起されている。図４ｆ−４ｋは巻き付け段階を示す。
【００４０】
図５はハット部材７０がテント支持環２０の連続部であることを除き、図４と類似したものである。折り畳み式テント１０は単一巻き連続部材７１から形成される。
【００４１】
図６ないし図６ｃを参照すると、図４の初期構造からのハット６８の多様な実施例が示されている。図６は図４と類似したテント支持環２０を示すものであるが、ハットが設けられていなく、テント支持環２０の平面図も示されている。
【００４２】
図６ａはテント支持環２０の最高点と同一レベルの平面円形としての共通隣接領域ループ部材３６を示す。図６ｂは変形して四つのハット支持環７５を形成するハット部材７０を示す。ハット支持環７５は、捻じられたとき、単一点の中心部位８０を形成する。
【００４３】
図６ｃは捻じられて四つのハット支持環７５を形成するハット部材７０を示す。ハット支持環７５は、捻じられたとき、正方形の中心部位８０を形成する。中心部位８０は正方形の中心部位８０の一辺に沿って各ハット支持環７５の残りと交差する。図６ｄは、折り畳みハット６８の中心部位８０がダイアモンド形である実施例を示すことを除き、図６ｃと類似したものである。
【００４４】
図７は捻じられて四つのテント支持環２０を形成する弾性テント部材１５を示す。この構造において、テント支持環２０は円周１７の一部で横断する。テント支持環２０はこれらを分離する距離だけ残りの円周１７に比べて小さい。本実施例において別のハットは設けられていない。
【００４５】
図８は捻じられて五つのテント支持環２０を形成する弾性テント部材１５を示す。ハット部材７０は第２弾性巻き部材１６により形成される。ハット部材７０は変形して四つの隆起部と四つの谷部を形成する。
【００４６】
図９はテント支持環２０とハット部材７０が単一弾性連続部材７１により形成されることを除き、図８と同構造である。図１０はハット部材７０が示されていないことを除き、図８と類似したものである。図１０は捻じられて五つのテント支持環２０を形成する弾性テント部材１５を示す。図１０ａは円形のハット部材７０を付加する。図１０ｂは変形して五つのハット支持環７５を形成するハット部材７０を示す。ハット支持ループ７５は五角形の共通隣接テント領域３５を形成する。
【００４７】
図１１ａを参照すると、捻じられて三つのテント支持環２０を形成する弾性テント部材１５が示されている。この図面には三つの図があるが、その一つ目はハット部材のない設計の三つのテント支持環２０の平面図、二つ目は三つのテント支持環２０とハット部材７０の平面図、三つ目は三つのテント支持環２０とハット部材７０の側面図である。ハット部材７０は平面形態であるので、共通隣接テント領域３５の境界１９に近い。抑え手段５０はテント支持環２０に付着されるので、テント支持環２０を抑え、これらに直立形状を与える。共通隣接テント領域３５は円形を取っているが、ほかの変形形態も可能である。前述したように、ハット部材７０はテント部材１５の連続部又は別途の巻き部材であり得る。また、連続テント膜４０又は付加の別途のハット膜４１が提供できる。
【００４８】
図１１ｂ、図１１ｃ及び図１１ｄは捻じられて四つ、五つ又は六つのテント支持環２０を形成する弾性テント部材１５を示す。図１１ｂないし図１１ｄはほかの面で図１１ａと類似している。
【００４９】
以上、本発明をその好ましい形態についてかなり詳細に説明したが、ほかの形態も可能である。したがって、添付の特許請求の範囲は前記好ましい形態の説明に限定されればいけない。
【図面の簡単な説明】
本発明の前記及びそのほかの特徴、性状及び利点は本発明の例を例示する以後の説明、添付特許請求の範囲、及び添付図面からより明らかに理解できるであろう。
図１ａないし図１ｃ及び図１ｃ（２）は折り畳み式テントの実施例の斜視図を示す。
図１ｃ（１）及び図１ｃ（３）はそれぞれ図１ｃ及び図１ｃ（２）に示す実施例の平面図を示す。
図１ｄは変形して三つのテント支持環を形成する閉ループと変形して三つのハット支持環を形成する別の閉ループを示す拡開状態の本発明による折り畳み式テントの実施例の斜視図である。図１ｄａないし図１ｄｅは保管のためループを巻き付ける段階を示す。
図２は変形して三つのテント支持環を形成し変形して三つのハット支持環を形成する連続閉ループを示す。図２ａないし図２ｅは保管のためループ及び環を巻き付ける段階を示す。
図３は変形して三つのテント支持環を形成する閉ループと変形して三つのハット支持環を形成する別の閉ループを示す。図３ａないし図３ｄは保管のためループを巻き付ける段階を示す。
図３ａは楕円形の共通隣接領域ループ部材を有するテント部材の斜視図を示す。
図３ｂは変形して三つのテント支持環を形成する閉ループと、変形して三つのハット支持環を形成し、中心部位が頂点を形成する別の閉ループの斜視図を示す。
図３ｃは変形して三つのテント支持環を形成する閉ループと、変形して三つのハット支持環を形成し、中心部位が三角形を形成する別の閉ループの斜視図を示す。
図３ｄは変形して三つのテント支持環を形成する閉ループと、変形して三つのハット支持環を形成し、中心部位が三角形のほかの変形形態を形成する別の閉ループの斜視図を示す。
図３ｄ−１ａないし図３ｄ−１ｄはテントの折り畳み段階を示す平面図を示す。
図４は変形して三つのテント支持体を形成する閉ループを示す。図４ａないし図４ｄは保管のためのループ及び環の巻き付け段階を示す。
図４ｅは変形して四つのテント支持環と変形して四つのハット支持環を形成する別の閉ループを示す。図４ｆないし図４ｋは保管のためのループ及び環の巻き付け段階を示す。
図５は変形して四つのテント支持環を形成し、変形して四つのハット支持環を示す。
図５ａないし図５ｆは保管のためのループ及び環の巻き付け段階を示す。
図６は変形して四つのテント支持環を形成する閉ループと変形して四つのハット支持環を形成する別の閉ループを示す。図６ｃ−１ないし図６ｃ−３は保管のためのループ及び環の巻き付け段階を示す。
図６ａは円形の共通隣接領域ループ部材を示す。
図６ｂは単一点で四つの環が集まる形態のハットを示す。
図６ｃは正方形で四つの環が集まる形態のハットを示す。
図６ｄはダイアモンド形で四つの環が集まる形態のハットを示す。
図７は捻じられて四つの小さなテント支持環を形成する閉ループ弾性部材を示す。
図７ａないし図７ｄは保管のためのループ及び環の巻き付け段階を示す。
図８は捻じられて五つのテント支持環を形成する弾性部材を示す斜視図である。
図８ａないし図８ｄは保管のためのループ及び環の巻き付け段階を示す。
図９は単一の連続弾性部材として弾性部材を示す斜視図である。
図１０はハット部材を示していないことを除き、図８と類似の斜視図である。
図１０ａは円形を形成するハット部材の斜視図である。
図１０ｂは頂点で五角形をハット部材の斜視図である。
図１１ａないし図１１ｄは三つの支持環ないし六つの支持環の構成のテント支持環の斜視図及び平面図を示す。
【図１ａ】
0004707930.tif 000002
【図１ａ（１）】
0004707930.tif 000003
【図１ｂ】
0004707930.tif 000004
【図１ｂ（１）】
0004707930.tif 000005
【図１ｃ】
0004707930.tif 000006
【図１ｃ（１）】
0004707930.tif 000007
【図１ｃ（２）】
0004707930.tif 000008
【図１ｃ（３）】
0004707930.tif 000009
【図１ｄ】
0004707930.tif 000010
【図１ｄａ】
0004707930.tif 000011
【図１ｄｂ】
0004707930.tif 000012
【図１ｄｃ】
0004707930.tif 000013
【図１ｄｄ】
0004707930.tif 000014
【図１ｄｅ】
0004707930.tif 000015
【図２】
0004707930.tif 000016
【図２ａ】
0004707930.tif 000017
【図２ｂ】
0004707930.tif 000018
【図２ｃ】
0004707930.tif 000019
【図２ｄ】
0004707930.tif 000020
【図２ｅ】
0004707930.tif 000021
【図３】
0004707930.tif 000022
【図３ａ】
0004707930.tif 000023
【図３ｂ】
0004707930.tif 000024
【図３ｃ】
0004707930.tif 000025
【図３ｄ】
0004707930.tif 000026
【図３ｄ−１】
0004707930.tif 000027
【図３ｄ−１ａ】
0004707930.tif 000028
【図３ｄ−１ｂ】
0004707930.tif 000029
【図３ｄ−１ｃ】
0004707930.tif 000030
【図３ｄ−１ｄ】
0004707930.tif 000031
【図４】
0004707930.tif 000032
【図４ａ】
0004707930.tif 000033
【図４ｂ】
0004707930.tif 000034
【図４ｃ】
0004707930.tif 000035
【図４ｄ】
0004707930.tif 000036
【図４ｅ】
0004707930.tif 000037
【図４ｆ】
0004707930.tif 000038
【図４ｇ】
0004707930.tif 000039
【図４ｈ】
0004707930.tif 000040
【図４ｉ】
0004707930.tif 000041
【図４ｊ】
0004707930.tif 000042
【図４ｋ】
0004707930.tif 000043
【図５】
0004707930.tif 000044
【図５ａ】
0004707930.tif 000045
【図５ｂ】
0004707930.tif 000046
【図５ｃ】
0004707930.tif 000047
【図５ｄ】
0004707930.tif 000048
【図５ｅ】
0004707930.tif 000049
【図５ｆ】
0004707930.tif 000050
【図６】
0004707930.tif 000051
【図６ａ】
0004707930.tif 000052
【図６ｂ】
0004707930.tif 000053
【図６ｃ】
0004707930.tif 000054
【図６ｃ−１】
0004707930.tif 000055
【図６ｃ−２】
0004707930.tif 000056
【図６ｃ−３】
0004707930.tif 000057
【図６ｄ】
0004707930.tif 000058
【図７】
0004707930.tif 000059
【図７ａ】
0004707930.tif 000060
【図７ｂ】
0004707930.tif 000061
【図７ｃ】
0004707930.tif 000062
【図７ｄ】
0004707930.tif 000063
【図８】
0004707930.tif 000064
【図８ａ】
0004707930.tif 000065
【図８ｂ】
0004707930.tif 000066
【図８ｃ】
0004707930.tif 000067
【図８ｄ】
0004707930.tif 000068
【図９】
0004707930.tif 000069
【図１０】
0004707930.tif 000070
【図１０ａ】
0004707930.tif 000071
【図１０ｂ】
0004707930.tif 000072
【図１１ａ】
0004707930.tif 000073
【図１１ｂ】
0004707930.tif 000074
【図１１ｃ】
0004707930.tif 000075
【図１１ｄ】
0004707930.tif 000076